(57)【要約】【課題】本発明は、カーオーディオ装置、カーオーディオ装置の制御方法及びカーオーディオ装置の制御方法のプログラムに関し、例えばメモリに記録された音楽コンテンツを再生するカーオーディオ装置に適用して、簡易な取り扱いにより盗難を防止することができるようにする。【解決手段】本発明は、音楽コンテンツの記録媒体に記録した個人認証データを用いて正規ユーザーか否か判定し、正規ユーザーの場合に限って操作を受け付ける。【選択図】        図１
2008084501.tif 000002
【特許請求の範囲】
【請求項１】
別体の記録媒体に記録された音楽コンテンツを再生してユーザーに提供するカーオーディオ装置において、
前記ユーザーの操作を入力する操作部と、
前記記録媒体との間でデータを入出力する入出力部と、
前記入出力部を介して得られる前記音楽コンテンツのオーディオデータを処理して、前記音楽コンテンツを前記ユーザーに提供するオーディオ処理部と、
前記ユーザーを個人認証する認証データを保持する記録部と、
全体の動作を制御する制御部とを有し、
前記制御部は、
前記記録媒体の所定領域に記録された個人認証データと、前記記録部に保持した前記認証データとの比較により、前記ユーザーが事前に登録された正規ユーザーか否か判定し、
前記ユーザーが正規ユーザーの場合に、前記操作部で入力される前記ユーザーの操作を受け付けないシステムロックの状態を解除し、前記操作部で入力される前記ユーザーの操作に応動して、前記音楽コンテンツを前記ユーザーに提供する
ことを特徴とするカーオーディオ装置。
【請求項２】
前記制御部は、
アクセサリー電源のオン操作による前記カーオーディオ装置の動作用電源の供給開始により、前記システムロックの状態を形成する
ことを特徴とする請求項１に記載のカーオーディオ装置。
【請求項３】
前記制御部は、
前記システムロックの状態で、所定の操作子の操作による入力により、前記個人認証データの入力を受け付け、
該個人認証データに基づいて、前記ユーザーが事前に登録された正規ユーザーか否か判定する
ことを特徴とする請求項１に記載のカーオーディオ装置。
【請求項４】
前記制御部は、
所定の操作子の操作による入力により、前記個人認証データの入力を受け付け、
該個人認証用データを前記記録媒体に記録すると共に、対応する前記認証データを前記記録部に記録する
ことを特徴とする請求項１に記載のカーオーディオ装置。
【請求項５】
前記制御部は、
前記個人認証データと、前記記録部に保持した前記認証データとの比較により、前記ユーザーを識別し、
識別結果に基づいて、前記ユーザー毎に、前記オーディオ処理部の設定を変更する
ことを特徴とする請求項１に記載のカーオーディオ装置。
【請求項６】
別体の記録媒体に記録された音楽コンテンツを再生してユーザーに提供するカーオーディオ装置の制御方法において、
前記記録媒体の所定領域に記録された個人認証データに基づいて、前記ユーザーが事前に登録された正規ユーザーか否か判定するユーザー認証のステップと、
前記ユーザーが正規ユーザーの場合に、操作部で入力される前記ユーザーの操作を受け付けないシステムロックの状態を解除し、前記操作部で入力される前記ユーザーの操作に応動して、前記音楽コンテンツを前記ユーザーに提供するコンテンツ提供ステップとを有する
ことを特徴とするカーオーディオ装置の制御方法。
【請求項７】
別体の記録媒体に記録された音楽コンテンツを再生してユーザーに提供するカーオーディオ装置の制御方法のプログラムにおいて、
前記記録媒体の所定領域に記録された個人認証データに基づいて、前記ユーザーが事前に登録された正規ユーザーか否か判定するユーザー認証のステップと、
前記ユーザーが正規ユーザーの場合に、操作部で入力される前記ユーザーの操作を受け付けないシステムロックの状態を解除し、前記操作部で入力される前記ユーザーの操作に応動して、前記音楽コンテンツを前記ユーザーに提供するコンテンツ提供ステップとを有する
ことを特徴とするカーオーディオ装置の制御方法のプログラム。
【発明の詳細な説明】
【技術分野】
【０００１】
本発明は、カーオーディオ装置、カーオーディオ装置の制御方法及びカーオーディオ装置の制御方法のプログラムに関し、例えばＵＳＢ（Universal Serial Bus）メモリに記録された音楽コンテンツを再生するカーオーディオ装置に適用することができる。本発明は、音楽コンテンツの記録媒体に記録した個人認証データを用いて正規ユーザーか否か判定し、正規ユーザーの場合に限って操作を受け付けることにより、簡易な取り扱いにより盗難を防止することができるようにする。
【背景技術】
【０００２】
従来、カーオーディオ装置では、車両に設けられたクレードルに載置して使用する装置が提供されている。このようなカーオーディオ装置は、例えば帰宅時、クレードルから取り外して自宅に持ち帰ることにより、盗難を防止することができる。
【０００３】
このような車載装置に関して、例えば特開平１１−２３０７６３号公報には、盗まれたカーナビゲーション装置を簡易に見つけ出す工夫が提案されている。
【０００４】
ところでクレードルから取り外して自宅に持ち帰って盗難を防止する場合、確実に盗難を防止できるものの取り扱いが煩雑な問題がある。
【特許文献１】特開平１１−２３０７６３号公報
【発明の開示】
【発明が解決しようとする課題】
【０００５】
本発明は以上の点を考慮してなされたもので、簡易な取り扱いにより盗難を防止することができるカーオーディオ装置、カーオーディオ装置の制御方法及びカーオーディオ装置の制御方法のプログラムを提案しようとするものである。
【課題を解決するための手段】
【０００６】
上記の課題を解決するため請求項１の発明は、別体の記録媒体に記録された音楽コンテンツを再生してユーザーに提供するカーオーディオ装置に適用して、前記制御部は、記録媒体の所定領域に記録された個人認証データと、前記記録部に保持した前記認証データとの比較により、前記ユーザーが事前に登録された正規ユーザーか否か判定し、前記ユーザーが正規ユーザーの場合に、前記操作部で入力される前記ユーザーの操作を受け付けないシステムロックの状態を解除し、前記操作部で入力される前記ユーザーの操作に応動して、前記音楽コンテンツを前記ユーザーに提供する。
【０００７】
また請求項６の発明は、別体の記録媒体に記録された音楽コンテンツを再生してユーザーに提供するカーオーディオ装置の制御方法に適用して、前記記録媒体の所定領域に記録された個人認証データに基づいて、前記ユーザーが事前に登録された正規ユーザーか否か判定するユーザー認証のステップと、前記ユーザーが正規ユーザーの場合に、操作部で入力される前記ユーザーの操作を受け付けないシステムロックの状態を解除し、前記操作部で入力される前記ユーザーの操作に応動して、前記音楽コンテンツを前記ユーザーに提供するコンテンツ提供ステップとを有するようにする。
【０００８】
また請求項７の発明は、別体の記録媒体に記録された音楽コンテンツを再生してユーザーに提供するカーオーディオ装置の制御方法のプログラムに適用して、前記記録媒体の所定領域に記録された個人認証データに基づいて、前記ユーザーが事前に登録された正規ユーザーか否か判定するユーザー認証のステップと、前記ユーザーが正規ユーザーの場合に、操作部で入力される前記ユーザーの操作を受け付けないシステムロックの状態を解除し、前記操作部で入力される前記ユーザーの操作に応動して、前記音楽コンテンツを前記ユーザーに提供するコンテンツ提供ステップとを有するようにする。
【０００９】
請求項１、請求項６又は請求項７の構成によれば、記録媒体を持ち帰ることにより、カーオーディオ装置を使用困難とすることができる。従ってカーオーディオ装置自体をいちいち取り外して持ち帰らなくても、記録媒体のみを持ち帰ることにより、盗難を防止することができ、従来に比して簡易な取り扱いにより盗難を防止することができる。
【発明の効果】
【００１０】
本発明によれば、従来に比して簡易な操作により盗難を防止することができる。
【発明を実施するための最良の形態】
【００１１】
以下、適宜図面を参照しながら本発明の実施例を詳述する。
【実施例１】
【００１２】
（１）実施例１の構成
図２は、本発明の実施例１のカーオーディオ装置を示すブロック図である。このカーオーディオ装置１は、チュナー等より得られる音楽コンテンツ、外部機器より得られる音楽コンテンツ等をユーザーに提供する。ここでこの外部機器は、ＵＳＢメモリである記録媒体、携帯型の音楽プレイヤー、音楽コンテンツを記録して再生可能な携帯電話等である。
【００１３】
オーディオ処理部３は、コントローラ４の制御により、内蔵のチュナー等で取得したオーディオデータ、コントローラ４を介して取得される外部機器からのオーディオデータ、コントローラ４で生成されるオーディオデータ等でスピーカ５を駆動し、各種音楽コンテンツ、各種警告音をユーザーに提供する。またコントローラ４の制御により、音質、音量、音場等を設定する。
【００１４】
コネクタ６は、例えばＵＳＢのコネクタであり、外部機器が接続される。インターフェース（Ｉ／Ｆ）７は、ＵＳＢのインターフェースであり、コネクタ６に接続された外部機器及びコントローラ４との間で種々のデータを送受する。表示部８は、コントローラ４の制御により、音楽コンテンツのタイトル、各種警告、メニュー等を表示する。タッチパネル９は、この表示部８の表示画面の表面に配置され、ユーザーによる操作をコントローラ４に通知する。
【００１５】
不揮発性メモリ１０は、コントローラ４の制御に必要な各種プログラム、このカーオーディオ装置１の各種情報を記録して保持する。このカーオーディオ装置１では、この各種の情報に、ユーザーを個人認証する認証データ、オーディオ信号処理部の各種設定データが割り当てられる。不揮発性メモリ１０は、コントローラ４の制御により、複数の認証データを記録して保持し、認証データ毎に、設定データを記録して保持する。ランダムアクセスメモリ（ＲＡＭ）１１は、コントローラ４のワークエリアを構成し、データ伸長処理の際のオーディオデータ等を一時格納して出力する。
【００１６】
コントローラ４は、不揮発性メモリ１０に記録されたプログラムを実行するコンピュータであり、タッチパネル９、図示しない操作子、リモートコマンダの操作に従って、このカーオーディオ装置１の動作を制御する。なおこの実施例において、このプログラムは、このカーオーディオ装置１に事前にインストールされて提供されるものの、この事前のインストールに代えて、光ディスク、磁気ディスク、メモリカード等の記録媒体に記録して提供するようにしてもよく、またインターネット等のネットワークを介したダウンロードにより提供するようにしてもよい。
【００１７】
図１及び図３は、このコントローラ４の処理手順を示すフローチャートである。コントローラ４は、このカーオーディオ装置１が車両に搭載されて、室内灯、時計等に電源を供給する常時供給の電源供給が開始されるとこの処理手順を開始してステップＳＰ１からステップＳＰ２に移る。なおこの常時供給の電源に代えて、内蔵のバッテリを使用するようにしてもよい。ここでコントローラ４は、この車両の動作を制御するコントローラから通知されるステータス情報ＡＣＣにより、ユーザーがこの車両のキーを操作してアクセサリー電源をオン操作し、カーオーディオ装置１に動作用電源の供給が開始されたか否か判断する。ここで否定結果が得られると、コントローラ４は、ステップＳＰ２を繰り返す。
【００１８】
これに対してユーザーがアクセサリー電源をオン操作した場合、コントローラ４は、ステップＳＰ２で肯定結果が得られ、ステップＳＰ２からステップＳＰ３に移る。ここでコントローラ４は、システムロック状態で各部の動作を立ち上げる。ここでシステムロック状態は、後述するステップＳＰ５に係る操作を除いてユーザーによる各種操作を受け付けない状態であり、かつ音楽コンテンツの再生を停止した状態である。
【００１９】
続いてコントローラ４は、ステップＳＰ４に移り、コネクタ６にＵＳＢメモリ２が装着されているか否か判断する。なおこのＵＳＢメモリ２が装着されているか否か判断は、インターフェース７を介してコネクタ６への外部機器の接続の有無を検出し、さらに外部機器が接続されている場合に、この外部機器の属性を検出して実行される。
【００２０】
ここで否定結果が得られると、コントローラ４は、ステップＳＰ４からステップＳＰ５に移り、ユーザーがマニュアル操作により、システムロック状態の解除を指示したか否か判断する。ここでこのカーオーディオ装置１に設けられた操作子のうち、１つ又は複数の特定操作子をユーザーが操作した場合、コントローラ４は、所定のメニュー画面を表示すると共に、このメニュー画面に表示したテンキー等の選択をタッチパネル９を介して検出し、個人認証データの入力を受け付ける。なおここでこの個人認証データは、所定桁数の英数字の文字列である。また入力された個人認証データを演算処理して不揮発性メモリ１０に記録した認証データと比較し、ユーザーがこのカーオーディオ装置１に事前に登録された正規ユーザーか否か検出する。
【００２１】
ここで個人認証データの演算処理結果が不揮発性メモリ１０に記録した認証データと一致しない場合、コントローラ４は、このユーザーが正規ユーザーでは無いと判断し、ステップＳＰ５からステップＳＰ６に移る。またこのステップＳＰ６において、ユーザーがアクセサリー電源をオフ操作したか否か判断し、否定結果が得られると、ステップＳＰ６からステップＳＰ４に戻るのに対し、肯定結果が得られると、ステップＳＰ２に戻る。
【００２２】
これに対して個人認証データの演算処理結果が不揮発性メモリ１０に記録した認証データと一致する場合、コントローラ４は、このユーザーが正規ユーザーであると判定し、ステップＳＰ５からステップＳＰ７に移る。
【００２３】
またステップＳＰ４で肯定結果が得られると、コントローラ４は、ステップＳＰ４からステップＳＰ８に移る。ここでコントローラ４は、ＵＳＢメモリ２の所定領域に記録された個人認証データをロードする。なおこの個人認証データも、ステップＳＰ５について上述したと同様の所定桁数の英数字の文字列である。またこのロードした個人認証データを演算処理して不揮発性メモリ１０に記録した認証データと比較し、ユーザーが正規ユーザーか否か検出する。
【００２４】
ここでＵＳＢメモリ２から取得した個人認証データの演算結果が、不揮発性メモリ１０に記録した認証データと一致しない場合、コントローラ４は、ユーザーが正規ユーザーでないと判断してステップＳＰ８からステップＳＰ５に移る。これに対してＵＳＢメモリ２から取得した個人認証データの演算結果が、不揮発性メモリ１０に記録した認証データと一致する場合、ユーザーが正規ユーザーであると判定してステップＳＰ８からステップＳＰ７に移る。
【００２５】
このステップＳＰ７において、コントローラ４は、システムロックの状態を解除し、ユーザーによる各種操作を受け付け可能とし、各種音楽コンテンツをユーザーに提供する。
【００２６】
これらステップＳＰ２〜ステップＳＰ８の処理により、コントローラ４は、ＵＳＢメモリ２に記録された個人認証データにより、又は手入力による個人認証データにより、ユーザーが事前に登録された正規ユーザーの場合に限って、このカーオーディオ装置１を操作可能とする。
【００２７】
コントローラ４は、システムロックを解除すると、ステップＳＰ９に移り、不揮発性メモリ１０に記録された設定データをロードし、続くステップＳＰ１０において、このロードしたデータによりオーディオ処理部３を設定する。ここでこの設定は、音量、音質、音場等であり、ソースを選択するようにしてもよい。
【００２８】
この設定処理において、コントローラ４は、ステップＳＰ８又はステップＳＰ５の処理において照合に成功した認証データに対応する設定データを、不揮発性メモリ１０から選択的にロードしてオーディオ処理部３を設定し、これによりこの車両を複数のユーザーが使用する場合に、ユーザー毎にオーディオ処理部３を設定する。
【００２９】
コントローラ４は、システム設定の処理を終了すると、いわゆるラストメモリの手法により、音楽コンテンツの提供を開始する。すなわち直前の電源立ち下げ時、ＵＳＢメモリ２に記録された音楽コンテンツをユーザーに提供していた場合には、同様に、ＵＳＢメモリ２からオーディオデータを順次取得してデータ伸長し、このデータ伸長したオーディオデータをオーディオ信号処理部３に出力してユーザーに提供する。また直前の電源立ち下げ時、ＦＭ放送を受信していた場合には、内蔵のチュナーの動作を立ち上げ、ＦＭ放送による音楽コンテンツをユーザーに提供する。また直前の電源立ち下げ時、コンパクトディスクを視聴していた場合には、コンパクトディスクから音楽コンテンツを再生してユーザーに提供する。
【００３０】
続くステップＳＰ１１（図３）において、コントローラ４は、ユーザーがスクリーンオン操作またはスクリーンオフ操作を実行したか否か判断する。ここでスクリーンオンの操作は、表示部８の表示を停止した状態で、ユーザーがタッチパネル９をタッチする操作である。これに対してスクリーンオフ操作は、表示部８を表示した状態で、タッチパネル９を介して表示部８に表示したスクリーンオフのメニューをユーザーが選択する操作である。
【００３１】
このステップＳＰ１１で肯定結果が得られると、コントローラ４は、ステップＳＰ１１からステップＳＰ１２に移り、ユーザーの操作に応動して表示部８の表示を停止し、又は表示部８の表示を再開し、ステップＳＰ１１に戻る。なおここでこのステップＳＰ１１、１２の処理は、このカーオーディオ装置１の設定画面において、ユーザーがスクリーンオンオフ機能をオン状態に設定した場合に実行される。
【００３２】
これに対してステップＳＰ１１で否定結果が得られると、コントローラ４は、ステップＳＰ１１からステップＳＰ１３に移り、ユーザーがユーザー登録を選択したか否か判断する。コントローラ４は、このカーオーディオ装置１に設けられた所定の操作子が操作されると、ユーザーがユーザー登録を選択したと判断してステップＳＰ１３からステップＳＰ１４に移る。
【００３３】
このステップＳＰ１４において、コントローラ４は、所定のメニュー画面を表示部８で表示して個人認証データの変更、新たなユーザー登録の選択を受け付ける。ここでユーザーが個人認証データの変更を指示した場合、コントローラ４は、ステップＳＰ５について上述したと同様にして個人認証データの入力を受け付ける。また現在接続されているＵＳＢメモリ２に記録された個人認証データを、この入力したデータで更新する。またこの入力したデータを演算処理して認証データを生成し、この認証データで不揮発性メモリ１０に記録された対応する認証データを更新する。
【００３４】
なおこの場合に、ＵＳＢメモリ２を取り外して、携帯型の音楽プレイヤー等を接続している場合も予測される。従ってコントローラ４は、ステップＳＰ４で判定したＵＳＢメモリ２が装着されていることを前提として、この個人認証データの入力を受け付け、ＵＳＢメモリ２の記録を更新する。従ってステップＳＰ４で判定したＵＳＢメモリ２が装着されていない場合、コントローラ４は、ユーザーに更新対象のＵＳＢメモリ２の装着を促し、装着されたＵＳＢメモリ２がステップＳＰ４で判定したＵＳＢメモリ２であることを確認して個人認証データの入力を受け付け、ＵＳＢメモリ２の記録を更新する。また一定時間経過しても対応するＵＳＢメモリ２が装着されない場合には、このステップＳＰ１４の処理を終了してステップＳＰ１１に戻る。
【００３５】
これに対してユーザーが新たなユーザー登録を指示した場合、ステップＳＰ５について上述したと同様にして個人認証データの入力を受け付ける。また個人認証データが未記録のＵＳＢメモリ２の装着をユーザーに促し、ＵＳＢメモリ２が装着されると、所定の領域に個人認証データを記録する。またこの個人認証データを演算処理して認証データを生成し、この認証データを不揮発性メモリ１０に記録する。またこのとき、現在のカーオーディオ装置１の設定を、この認証データと対応付けて不揮発性メモリ１０に記録する。
【００３６】
コントローラ１４は、このようにして個人認証データの変更、新たなユーザー登録の処理を実行すると、ステップＳＰ１４からステップＳＰ１１に戻る。
【００３７】
これに対してステップＳＰ１３で否定結果が得られると、コントローラ４は、ステップＳＰ１５に移り、他の各種操作か否かを検出する。ここで肯定結果が得られると、コントローラ４は、ステップＳＰ１５からステップＳＰ１６に移り、対応する各部を制御してステップＳＰ１１に戻る。
【００３８】
このステップＳＰ１５、ＳＰ１６の処理により、コントローラ１４は、ユーザーがタッチパネル９等を操作してソースの切り換え、音量切り換え、音質切り換え等を指示すると、これらの操作に応動してソースを切り換え、さらには音量、音質を切り換える。またＵＳＢメモリ２が取り外されて、携帯型の音楽プレイヤー、音楽コンテンツを記録して再生可能な携帯電話、音楽コンテンツを記録した他のＵＳＢメモリ、音楽コンテンツを記録したハードディスク装置等が接続されると、これらの機器との間で接続を確立し、ユーザーの操作に応動してこれらの機器に記録された音楽コンテンツをユーザーに提供する。なおコントローラ４は、ＵＳＢメモリ２が取り外されると、取り外された時点のカーオーディオ装置１の設定により不揮発性メモリ１０の対応する設定データを更新する。
【００３９】
これに対してステップＳＰ１５で否定結果が得られると、コントローラ４は、ステップＳＰ１５からステップＳＰ１７に移る。ここでコントローラ４は、この車両の動作を制御するコントローラから通知されるステータス情報ＡＣＣにより、ユーザーがこの車両のキーを操作してアクセサリー電源をオフ操作したか否か判断する。ここで否定結果が得られると、コントローラ４は、ステップＳＰ１１に戻る。
【００４０】
これに対してユーザーがアクセサリー電源をオフ操作した場合、コントローラ４は、ステップＳＰ１７で肯定結果が得られ、ステップＳＰ１７からステップＳＰ１８に移る。ここでコントローラ４は、コネクタ６にＵＳＢメモリ２が接続されたままになっているか否か判断する。
【００４１】
ここでコネクタ６にＵＳＢメモリ２が接続されていない場合、コントローラ４は、ステップＳＰ１８からステップＳＰ１９に移り、全体をシステムロックの状態に設定する。また続くステップＳＰ２０において、電源を立ち下げた後、ステップＳＰ２に戻る。
【００４２】
これに対してコネクタ６にＵＳＢメモリ２が接続されている場合、コントローラ４は、ステップＳＰ１８からステップＳＰ２１に移り、オーディオ信号処理部３を制御して警告音をスピーカ３から出力する。またＵＳＢメモリ２がコネクタに接続されている旨の、警告メッセージを表示部８で表示する。
【００４３】
続いてコントローラ４は、ステップＳＰ２２に移り、警告音の出力を開始して一定時間以上経過したか否か判断し、ここで否定結果が得られると、ステップＳＰ１８に戻るのに対し、肯定結果が得られると、ステップＳＰ２２からステップＳＰ２０に移り、電源を立ち下げる。
【００４４】
（２）実施例の動作
以上の構成において、このカーオーディオ装置１は、ユーザーがキーを操作してアクセサリー電源をオン操作すると、各部への電源の供給が開始され、動作を開始する。カーオーディオ装置１は、この場合、ユーザーによる操作を受け付けないシステムロックの状態で動作を立ち上げる。またその後、カーオーディオ装置１は、ＵＳＢメモリ２に記録された個人認証データと、不揮発性メモリ１０に記録された認証データとを用いた個人認証により、ユーザーが事前に登録された正規ユーザーの場合、システムロック状態を解除してユーザーの操作を受け付ける。
【００４５】
これによりこのカーオーディオ装置１では、カーオーディオ装置１自体をいちいち取り外して自宅に持ち帰らなくても、単にＵＳＢメモリ２を取り外して持ち帰るだけでこのカーオーディオ装置１を使用できなくすることができる。従って簡易な操作により盗難を防止することができる。
【００４６】
またシステムロック状態が解除されると、ユーザーによる操作に応動してＦＭ放送を受信してスピーカ５から出力し、またコンパクトディスクを再生して音楽コンテンツをユーザーに提供する。また個人認証に使用したＵＳＢメモリ２に記録された音楽コンテンツを再生してユーザーに提供する。
【００４７】
これによりこのカーオーディオ装置１では、車両で視聴するコンパクトディスク等を持ち運ぶ感覚で、ＵＳＢメモリ２を持ち運ぶだけで、このＵＳＢメモリ２に記録した個人認証データを利用してカーオーディオ装置１の盗難を防止することができ、これによっても簡易な操作により盗難を防止することができる。
【００４８】
またカーオーディオ装置１では、このＵＳＢメモリ２に記録された個人認証データにより正規ユーザーであるとの認証結果が得られた場合には、不揮発性メモリ１０の記録により、このユーザーが以前設定した音量、音質等に設定される。これによりカーオーディオ装置１では、正規ユーザーか否かの判定に使用する個人認証データを用いたユーザー識別により、ユーザー毎に、音楽コンテンツの視聴環境が設定され、これによりユーザーの使い勝手が向上される。
【００４９】
またユーザーの操作により、所望するＵＳＢメモリに個人認証用データを記録し、これにより例えば複数のユーザーでこのカーオーディオ装置１を搭載した車両を共用する場合等に、必要に応じてユーザー毎に、個人認証用のＵＳＢメモリ２を作成し、これによってもユーザーの使い勝手を向上することができる。
【００５０】
またこのカーオーディオ装置１では、一旦、システムロック状態を解除すると、ＵＳＢメモリ２を取り外してアクセサリー電源をオフ操作するまでの間、この解除した状態に保持される。これによりＵＳＢメモリ２をコネクタ６から取り外して、携帯型の音楽プレイヤー、音楽コンテンツを記録して再生可能な携帯電話、個人認証データを記録していない、音楽コンテンツを記録した他のＵＳＢメモリ、音楽コンテンツを記録したハードディスク装置等をコネクタ６に接続して、これらの機器に記録された音楽コンテンツを楽しむことができる。
【００５１】
しかしながら、実際上、このように個人認証データを記録したＵＳＢメモリ２の取り外しを忘れる場合もあり、この場合には、盗難を防止できなくなる。そこでこのカーオーディオ装置１では、ＵＳＢメモリ２を取り外すことなくアクセサリー電源をオフ操作した場合には、警告音、警告のメッセージが提供され、これによりＵＳＢメモリ２の取り外し忘れを防止することができる。
【００５２】
また一時的に車両を離れる場合もあり、この場合にもいちいちＵＳＢメモリ２を取り外していたのでは、却って使い勝手が悪くなる。そこでカーオーディオ装置１では、警告音、警告のメッセージを一定時間提供すると、システムロックを解除したままの状態で、電源が立ち下げられ、これにより一時的に車両を離れる場合等の使い勝手が向上される。
【００５３】
またこれらとは逆に、ＵＳＢメモリ２の携帯を忘れる場合もあり、この場合には、所定の操作子の操作、タッチパネル９の操作により個人認証データの入力を受け付け、正しく認証できた場合に限って、システムロックが解除される。これによりこのカーオーディオ装置１では、ＵＳＢメモリ２の携帯を忘れた場合でも、利用することができ、その分、使い勝手を向上することができる。
【００５４】
また使用中に、タッチパネル９を操作してスクリーンオフを指示すると、表示部８の表示が中止され、またこの状態でタッチパネッル９を操作してスクリーンオンを指示すると、表示部８の表示が再開される。これにより例えば治安が著しく悪い地域を走行して信号等により一時停止した場合に、車外からカーオーディオ装置１を見つけ難くすることができ、これにより防犯を図ることができる。
【００５５】
（３）実施例の効果
以上の構成によれば、音楽コンテンツの記録媒体に記録した個人認証データを用いて正規ユーザーか否か判定し、正規ユーザーの場合に限って操作を受け付けることにより、簡易な取り扱いにより盗難を防止することができる。
【００５６】
すなわちアクセサリー電源のオン操作による動作用電源の供給開始により、システムロックの状態を形成することにより、正規ユーザーではないと使用できないようにすることができ、これにより簡易な取り扱いにより盗難を防止することができる。
【００５７】
またシステムロックの状態で、所定の操作子の操作による入力により個人認証データの入力を受け付け、この個人認証データに基づいて、正規ユーザーか否か判定することにより、個人認証データを記録した記録媒体の携帯を忘れた場合にあっても、使用可能とすることができ、ユーザーの使い勝手を向上することができる。
【００５８】
また所定の操作子の操作による入力により個人認証データの入力を受け付け、この個人認証データを記録媒体に記録すると共に、対応する認証データを不揮発性メモリに記録することにより、必要に応じて所望する記録媒体を個人認証に利用可能とすることができ、ユーザーの使い勝手を向上することができる。
【００５９】
またこの個人認証データを用いてユーザーを識別し、ユーザー毎に、オーディオ処理部を設定することにより、ユーザー毎に所望する音楽コンテンツの利用環境を提供することができる。
【実施例２】
【００６０】
なお上述の実施例においては、ＵＳＢインターフェースにより外部記録媒体を接続する場合について述べたが、本発明はこれに限らず、例えばＩＥＥＥ１３９４インターフェースにより外部記録媒体を接続する場合等、種々のインターフェースにより、有線、無線で外部記録媒体を接続する場合に広く適用することができる。
【００６１】
また上述の実施例においては、不揮発性メモリ側に設定データを記録する場合について述べたが、本発明はこれに限らず、外部記録媒体側に記録するようにしてもよい。
【００６２】
また上述の実施例においては、ＵＳＢメモリに個人認証データを記録する場合について述べたが、本発明はこれに限らず、携帯型の音楽プレイヤー等の、外部機器の記録媒体に個人認証データを記録するようにしてもよい。
【産業上の利用可能性】
【００６３】
本発明は、カーオーディオ装置、カーオーディオ装置の制御方法及びカーオーディオ装置の制御方法のプログラムに関し、例えばＵＳＢメモリに記録された音楽コンテンツを再生するカーオーディオ装置に適用することができる。
【図面の簡単な説明】
【００６４】
【図１】本発明の実施例１のカーオーディオ装置における処理手順を示すフローチャートである。
【図２】本発明の実施例１のカーオーディオ装置を示すブロック図である。
【図３】図１の続きを示すフローチャートである。
【符号の説明】
【００６５】
１……カーオーディオ装置、２……ＵＳＢメモリ、３……オーディオ処理部、４……コントローラ、８……表示部
【図１】
2008084501.tif 000003
【図２】
2008084501.tif 000004
【図３】
2008084501.tif 000005